(57)【要約】【課題】小型軽量化と大出力から小出力までの汎用性の高さとを両立し、消費電力を低減すること。【解決手段】光を透過させるＬＥＤアレイ１３０Ｒに配設された複数のＬＥＤ１３２Ｒ1〜１３２Ｒ4、・・・からＲ1光を発生させるＬＥＤアレイ１３０Ｒと、ＬＥＤアレイ１３０Ｒの前方に配設され、入射される光を画像信号に応じて変調する液晶ライトバルブ１２０Ｒと、液晶ライトバルブ１２０Ｒにより変調された光を投射する投射レンズ１４０と、透明基板１３１Ｒにおける隙間にＲ2光を供給する光源ユニット１７０が着脱される着脱部１００ａと、着脱部１００ａと透明基板１３１Ｒとの間に設けられ、Ｒ2光等を伝搬させる全反射ミラー１６０、ダイクロイックミラー１６１、全反射ミラー１６２、・・・とを備えている。【選択図】        図１
2006003799.tif 000002
【特許請求の範囲】
【請求項１】
光を透過させる基板上に配設された複数の点光源から第１光を発生させる第１光源と、
前記第１光源の前方に配設され、入射される光を画像信号に応じて変調する空間光変調手段と、
前記空間光変調手段により変調された光を投射する投射手段と、
前記基板における隙間に第２光を供給する第２光源が着脱される着脱部と、
前記着脱部と前記基板との間に設けられ、前記第２光を伝搬させる光伝搬手段と、
を備えたことを特徴とするプロジェクタ。
【請求項２】
前記第２光は、外光であり、前記第２光の光量を検出する光量検出手段と、前記光量検出手段から検出結果のフィードバックを受けて、投射出力が一定となるように、第１光の光量を制御する制御手段と、を備えたことを特徴とする請求項１に記載のプロジェクタ。
【請求項３】
前記光伝搬手段は、ダイクロイックミラーを備えていることを特徴とする請求項１または２に記載のプロジェクタ。
【請求項４】
前記光伝搬手段は、光ファイバであることを特徴とする請求項１または２に記載のプロジェクタ。
【請求項５】
前記第２光源は、前記第２光として白色光を供給することを特徴とする請求項１〜４のいずれか一つに記載のプロジェクタ。
【請求項６】
前記第２光源は、各色に対応する複数の第２光をそれぞれ供給することを特徴とする請求項１〜４のいずれか一つに記載のプロジェクタ。
【発明の詳細な説明】
【技術分野】
【０００１】
本発明は、プロジェクタに関するものであり、特に、小型軽量化と大出力から小出力までの汎用性の高さとを両立することができ、消費電力を低減することができるプロジェクタに関するものである。
【背景技術】
【０００２】
従来より、プロジェクタの利用シーンが多岐に亘っており、環境（野外、屋内明室、暗室等）、コンテンツ（プレゼンテーション、広告、映画、テレビ映像等）によって、それぞれに適する投影出力が大きく異なる（数百ルーメン〜数万ルーメン）。例えば、投射出力が大きいプロジェクタは、明るい部屋でも見やすいという利点を有しているが、暗室で映画を鑑賞する場合には明るすぎるという欠点を有している。
【０００３】
そこで、従来より、光源部分に消費電力と光度パワーが異なる光源に切り換える光源切替手段を設けて、周囲の明るさや、投影するスクリーン画面の大きさに応じて投射出力を切り換えるプロジェクタが提案されている（特許文献１）。
【０００４】
【特許文献１】特開２０００−１５５３７５号公報
【発明の開示】
【発明が解決しようとする課題】
【０００５】
ところで、従来のプロジェクタでは、長時間暗室でしか使用しない場合（投射出力が小さい）であっても、屋外や屋内明室等で使用する場合（投射出力が大きい）であっても、構成に変化がないため、例えば、暗室でのみ使用する場合にサイズおよび重量が負担になっていた。
【０００６】
すなわち、従来においては、用途に応じて、投射出力を切り換えることができるものの、サイズおよび重量を変えることができず、小型軽量化と、大出力から小出力までの汎用性の高さとを両立することができないという問題があった。
【０００７】
また、従来のプロジェクタにおいては、小型のものでも１３０Ｗ〜２５０Ｗ、大型のもので１ｋＷ以上もの電力が消費され、消費電力が大きく、電力から光への変換効率が低いため、発生する熱量が多く、大容量の冷却ファン等が必要となる。
【０００８】
本発明は、上記に鑑みてなされたものであって、小型軽量化と大出力から小出力までの汎用性の高さとを両立することができ、消費電力を低減することができるプロジェクタを提供することを目的とする。
【課題を解決するための手段】
【０００９】
上述した課題を解決し、目的を達成するために、本発明は、光を透過させる基板上に配設された複数の点光源から第１光を発生させる第１光源と、前記第１光源の前方に配設され、入射される光を画像信号に応じて変調する空間光変調手段と、前記空間光変調手段により変調された光を投射する投射手段と、前記基板における隙間に第２光を供給する第２光源が着脱される着脱部と、前記着脱部と前記基板との間に設けられ、前記第２光を伝搬させる光伝搬手段と、を備えたことを特徴とする。
【発明の効果】
【００１０】
本発明によれば、光を透過させる基板上に配設された複数の点光源から第１光を発生させる第１光源の前方に配設され、入射される光を画像信号に応じて変調する空間光変調手段と、空間光変調手段により変調された光を投射する投射手段と、第１光源の基板における隙間に第２光を供給する第２光源が着脱される着脱部と、着脱部と基板との間に設けられ、第２光を伝搬させる光伝搬手段とを備えることとしたので、第２光源を着脱することにより、小型軽量化と大出力から小出力までの汎用性の高さとを両立し、消費電力を低減することができるという効果を奏する。
【発明を実施するための最良の形態】
【００１１】
以下に、本発明にかかるプロジェクタの実施例を図面に基づいて詳細に説明する。なお、この実施例によりこの発明が限定されるものではない。
【実施例１】
【００１２】
図１は、本発明にかかる実施例１の構成を示す図である。同図に示したプロジェクタ１００は、スクリーン（図示略）にカラー画像を投射する機能を備えている。プロジェクタ１００において、クロスダイクロイックプリズム１１０は、直交する２つのダイクロイック膜を有しており、Ｒ光（赤光）、Ｇ光（緑光）およびＢ光（青光）を合成し、投射レンズ１４０へ導く機能を備えている。投射レンズ１４０は、クロスダイクロイックプリズム１１０で合成された光をスクリーン（図示略）に投射するレンズである。
【００１３】
液晶ライトバルブ１２０Ｒ、液晶ライトバルブ１２０Ｇおよび液晶ライトバルブ１２０Ｂは、クロスダイクロイックプリズム１１０の三辺近傍にそれぞれ配設された空間光変調器であり、後述するＬＥＤ（発光ダイオード）アレイ１３０Ｒ、ＬＥＤアレイ１３０ＧおよびＬＥＤアレイ１３０ＢからのＲ1光（またはＲ1光とＲ2光との合成）、Ｇ1光（またはＧ1光とＧ2光との合成）およびＢ1光（またはＢ1光とＢ2光との合成）を画像信号に応じて変調する透過型の液晶表示デバイスである。
【００１４】
ここで、Ｒ2光、Ｇ2光およびＢ2光は、後述する光源ユニット１７０より出射された光（白色光）がＲＧＢに色分離されたものである。
【００１５】
ＬＥＤアレイ１３０Ｒ、ＬＥＤアレイ１３０ＧおよびＬＥＤアレイ１３０Ｂは、液晶ライトバルブ１２０Ｒ、液晶ライトバルブ１２０Ｇおよび液晶ライトバルブ１２０Ｂの近傍にそれぞれ配設されており、Ｒ1光、Ｇ1光およびＢ1光をそれぞれ発生させる固体発光素子である。
【００１６】
ＬＥＤアレイ１３０Ｒは、図２に示したように、透明基板１３１Ｒと、透明基板１３１Ｒにマトリクス状（４×４）に配設された複数のＬＥＤ１３２Ｒ1、・・・１３２Ｒ4、・・・とから構成されており、複数のＬＥＤ１３２Ｒ1、・・・１３２Ｒ4、・・・からのＲ1光を液晶ライトバルブ１２０Ｒへ照射する。ここで、ＬＥＤアレイ１３０Ｒにおいては、複数のＬＥＤ１３２Ｒ1、・・・１３２Ｒ4、・・・の隙間１３３Ｒ、１３３Ｒ、・・・が存在している。なお、実施例１においては、隙間１３３Ｒ、１３３Ｒ、・・・の部分に光を通す穴をあける構成例としてもよい。
【００１７】
ＬＥＤアレイ１３０Ｇは、ＬＥＤアレイ１３０Ｒ（図２参照）と同様にして、透明基板１３１Ｇと、透明基板１３１Ｇにマトリクス状（４×４）に配設された複数のＬＥＤ１３２Ｇ1、・・・１３２Ｇ4、・・・とから構成されており、複数のＬＥＤ１３２Ｇ1、・・・１３２Ｇ4、・・・からのＧ1光を液晶ライトバルブ１２０Ｇへ照射する。
【００１８】
ＬＥＤアレイ１３０Ｂは、ＬＥＤアレイ１３０Ｒ（図２参照）と同様にして、透明基板１３１Ｂと、透明基板１３１Ｂにマトリクス状（４×４）に配設された複数のＬＥＤ１３２Ｂ1、・・・１３２Ｂ4、・・・とから構成されており、複数のＬＥＤ１３２Ｂ1、・・・１３２Ｇ4、・・・からのＢ1光を液晶ライトバルブ１２０Ｂへ照射する。ここで、実施例１においては、ＬＥＤアレイ１３０Ｒ、ＬＥＤアレイ１３０ＧおよびＬＥＤアレイ１３０Ｂを第１光源と称する。
【００１９】
プロジェクタ１００には、着脱部１００ａが形成されている。この着脱部１００ａには、光源ユニット１７０が着脱自在に設けられる。この光源ユニット１７０は、上述した第１光源に対する第２光源である。光源ユニット１７０は、ＬＥＤ１７１、電源１７２およびレンズ１７３から構成されており、プロジェクタ１００の投射出力を高める場合に、第１光源とともに用いられる。ＬＥＤ１７１は、光を発生する。電源１７２は、ＬＥＤ１７１に電力を供給する。レンズ１７３は、ＬＥＤ１７１の前方に配設されており、ＬＥＤ１７１からの光を前方へ導くレンズである。
【００２０】
ロッドインテグレータ１５０は、レンズ１７３からの光を均一化する機能を備えている。全反射ミラー１６０は、ロッドインテグレータ１５０からの光に対して４５度の角度をもって配設されており、該光を全反射する。ダイクロイックミラー１６１は、全反射ミラー１６０からの光のうち、Ｒ光の成分（Ｒ2光）を反射させ、Ｇ光およびＢ光の成分（Ｇ2光およびＢ2光）を透過させる。全反射ミラー１６２は、ダイクロイックミラー１６１により反射されたＲ2光をＬＥＤアレイ１３０Ｒ（透明基板１３１Ｒ）の裏面へ向けて反射させる。このＲ2光は、図２に示したＬＥＤアレイ１３０Ｒの隙間１３３Ｒ、１３３Ｒを透過し、液晶ライトバルブ１２０Ｒへ導かれる。
【００２１】
ダイクロイックミラー１６３は、ダイクロイックミラー１６１を透過したＧ2光およびＢ2光のうち、Ｇ2光をＬＥＤアレイ１３０Ｇ（透明基板１３１Ｇ）の裏面へ向けて反射させ、Ｂ2光を透過させる。このＧ2光は、ＬＥＤアレイ１３０Ｒ（図２参照）と同様にして、ＬＥＤアレイ１３０Ｇの隙間（図２参照）を透過し、液晶ライトバルブ１２０Ｇへ導かれる。
【００２２】
全反射ミラー１６４は、ダイクロイックミラー１６３からのＢ2光を全反射させる。全反射ミラー１６５は、全反射ミラー１６４で全反射されたＢ2光をＬＥＤアレイ１３０Ｂ（透明基板１３１Ｂ）の裏面へ向けて反射させる。このＢ2光は、ＬＥＤアレイ１３０Ｒ（図２参照）と同様にして、ＬＥＤアレイ１３０Ｂの隙間（図２参照）を透過し、液晶ライトバルブ１２０Ｂへ導かれる。
【００２３】
上記構成において、例えば、暗室で映画を鑑賞する場合、すなわち、プロジェクタ１００の投射出力が小さくてもよい場合、プロジェクタ１００には、光源ユニット１７０を装着する必要がない。
【００２４】
この場合、ＬＥＤアレイ１３０ＲのＬＥＤ１３２Ｒ1〜１３２Ｒ4、・・・で発光されたＲ1光が液晶ライトバルブ１２０Ｒに照射され、液晶ライトバルブ１２０Ｒでは、Ｒ1光が画像信号に応じて変調される。また、ＬＥＤアレイ１３０ＧのＬＥＤ１３２Ｇ1〜１３２Ｇ4、・・・で発光されたＧ1光が液晶ライトバルブ１２０Ｇに照射され、液晶ライトバルブ１２０Ｇでは、Ｇ1光が画像信号に応じて変調される。また、ＬＥＤアレイ１３０ＢのＬＥＤ１３２Ｂ1〜１３２Ｂ4、・・・で発光されたＢ1光が液晶ライトバルブ１２０Ｂに照射され、液晶ライトバルブ１２０Ｂでは、Ｂ1光が画像信号に応じて変調される。
【００２５】
そして、クロスダイクロイックプリズム１１０でＲ1光、Ｇ1光およびＢ1光が合成され、合成された光は、投射レンズ１４０によりスクリーン（図示略）に投射される。
【００２６】
一方、明るい室内で映画を鑑賞する場合、すなわち、プロジェクタ１００の投射出力が大きいものが必要である場合、プロジェクタ１００の着脱部１００ａには、光源ユニット１７０が装着される。これにより、第１光源および第２光源の双方からの光がクロスダイクロイックプリズム１１０で合成され、第１光源のみの場合に比して、照射出力が大きくなる。
【００２７】
すなわち、光源ユニット１７０のＬＥＤ１７１からの光は、レンズ１７３、ロッドインテグレータ１５０を介して、全反射ミラー１６０で全反射され、ダイクロイックミラー１６１に導かれる。ダイクロイックミラー１６１では、全反射ミラー１６０からの光のうち、Ｒ2光が全反射されるとともに、Ｇ2光およびＢ2光が透過される。
【００２８】
Ｒ2光は、全反射ミラー１６２によりＬＥＤアレイ１３０Ｒへ向けて全反射された後、透明基板１３１Ｒの隙間１３３Ｒ、１３３Ｒ（図２参照）を透過し、Ｒ1光と合成され、液晶ライトバルブ１２０Ｒに入射される。液晶ライトバルブ１２０Ｒでは、Ｒ1光とＲ2光とが合成された光（Ｒ1＋Ｒ2）が画像信号に応じて変調される。
【００２９】
また、ダイクロイックミラー１６１を透過したＧ2光およびＢ2光は、ダイクロイックミラー１６３に導かれる。ダイクロイックミラー１６３では、Ｇ2光、Ｂ2光のうち、Ｇ2光が全反射されるとともに、Ｂ2光が透過される。Ｇ2光は、透明基板１３１Ｇの隙間を透過し、Ｇ1光と合成され、液晶ライトバルブ１２０Ｇに入射される。液晶ライトバルブ１２０Ｇでは、Ｇ1光とＧ2光とが合成された光（Ｇ1＋Ｇ2）が画像信号に応じて変調される。
【００３０】
Ｂ2光は、全反射ミラー１６４により全反射され、全反射ミラー１６５により全反射された後、透明基板１３１Ｂの隙間を透過し、Ｂ1光と合成され、液晶ライトバルブ１２０Ｂに入射される。液晶ライトバルブ１２０Ｂでは、Ｂ1光とＢ2光とが合成された光（Ｂ1＋Ｂ2）が画像信号に応じて変調される。
【００３１】
そして、クロスダイクロイックプリズム１１０で光（Ｒ1＋Ｒ2）、光（Ｇ1＋Ｇ2）および光（Ｂ1＋Ｂ2）が合成され、合成された光は、投射レンズ１４０によりスクリーン（図示略）に投射される。
【００３２】
以上説明したように、実施例１によれば、光を透過させる透明基板１３１Ｒ上に配設された複数のＬＥＤ１３２Ｒ1〜１３２Ｒ4、・・・からＲ1光を発生させる透明基板１３１Ｒの前方に配設され、入射される光を画像信号に応じて変調する液晶ライトバルブ１２０Ｒと、液晶ライトバルブ１２０Ｒにより変調された光を投射する投射レンズ１４０と、透明基板１３１Ｒにおける隙間１３３ＲにＲ2光を供給する光源ユニット１７０が着脱される着脱部１００ａと、着脱部１００ａと透明基板１３１Ｒとの間に設けられ、Ｒ2光を伝搬させる全反射ミラー１６０、ダイクロイックミラー１６１、全反射ミラー１６２等とを備えることとしたので、光源ユニット１７０を着脱することにより、小型軽量化と大出力から小出力までの汎用性の高さとを両立し、消費電力を低減することができる。
【実施例２】
【００３３】
さて、前述した実施例１においては、第２光源からの光を、全反射ミラー１６０、ダイクロイックミラー１６１、・・・、全反射ミラー１６５からなる分光光学系を介して、伝搬させる構成例について説明したが、分光光学系に代えて、光ファイバを介して光を伝搬させる構成例としてもよい。以下では、この構成例を実施例２として説明する。
【００３４】
図３は、本発明にかかる実施例２の構成を示す図である。同図においては、図１に対応する部分に同一の符号を付けその説明を省略する。図３に示したプロジェクタ３００においては、図１に示した全反射ミラー１６０、ダイクロイックミラー１６１、・・・、全反射ミラー１６５からなる分光光学系に代えて、光ファイバケーブル１９０Ｒ、光ファイバケーブル１９０Ｇ、光ファイバケーブル１９０Ｂ、光学フィルタ１９１Ｒ、光学フィルタ１９１Ｇおよび光学フィルタ１９１Ｂが設けられている。また、図３においては、図１に示した光源ユニット１７０に代えて、光コネクタ１９０が設けられているとともに、駆動部１８０、制御部１８１および光量検出センサＳ１が新たに設けられている。
【００３５】
光コネクタ１９０は、第２光源（例えば、太陽）からの外光を入力するためのコネクタである。この光コネクタ１９０には、例えば、光ファイバケーブル２００が接続される。この光ファイバケーブル２００は、壁等に設けられた光コネクタ２１０と光コネクタ１９０との間を接続するケーブルであり、光コネクタ２１０に供給される外光を光コネクタ１９０へ伝搬させるためのケーブルである。光コネクタ２１０には、屋外に設置された受光器（図示略）で受光された外光が光ファイバケーブル（図示略）を介して供給される。
【００３６】
光ファイバケーブル１９０Ｒは、複数の光ファイバが束ねられたケーブルであり、光コネクタ１９０とＬＥＤアレイ１３０Ｒ（透明基板１３１Ｒ）との間を接続する。光ファイバケーブル１９０Ｒの途中には、光学フィルタ１９１Ｒが介挿されている。光学フィルタ１９１Ｒは、外光のうち赤色成分のみをＲ2’光として透過させるフィルタである。
【００３７】
具体的には、光ファイバケーブル１９０Ｒの一端面側は、光コネクタ１９０に接続されている。一方、光ファイバケーブル１９０Ｒの他端面側は、ＬＥＤアレイ１３０Ｒの透明基板１３１Ｒに接続されている。図４に示したように、光ファイバケーブル１９０Ｒの各他端面１９０Ｒａ、１９０Ｒａ、・・・は、透明基板１３１Ｒの隙間１３３Ｒ、１３３Ｒ、・・・に位置している。これらの他端面１９０Ｒａ、１９０Ｒａ、・・・からは、液晶ライトバルブ１２０Ｒへ向けて、Ｒ2’光が出射される。
【００３８】
光ファイバケーブル１９０Ｇは、複数の光ファイバが束ねられたケーブルであり、光コネクタ１９０とＬＥＤアレイ１３０Ｇ（透明基板１３１Ｇ）との間を接続する。光ファイバケーブル１９０Ｇの途中には、光学フィルタ１９１Ｇが介挿されている。光学フィルタ１９１Ｇは、外光のうち緑色成分のみをＧ2’光として透過させるフィルタである。
【００３９】
具体的には、光ファイバケーブル１９０Ｇの一端面側は、光コネクタ１９０に接続されている。一方、光ファイバケーブル１９０Ｇの他端面側は、ＬＥＤアレイ１３０Ｇの透明基板１３１Ｇに接続されている。光ファイバケーブル１９０Ｇの各他端面（図示略）は、透明基板１３１Ｇの各隙間に位置している。これらの他端面からは、液晶ライトバルブ１２０Ｇへ向けて、Ｇ2’光が出射される。
【００４０】
光ファイバケーブル１９０Ｂは、複数の光ファイバが束ねられたケーブルであり、光コネクタ１９０とＬＥＤアレイ１３０Ｂ（透明基板１３１Ｂ）との間を接続する。光ファイバケーブル１９０Ｂの途中には、光学フィルタ１９１Ｂが介挿されている。光学フィルタ１９１Ｂは、外光のうち青色成分のみをＢ2’光として透過させるフィルタである。
【００４１】
具体的には、光ファイバケーブル１９０Ｂの一端面側は、光コネクタ１９０に接続されている。一方、光ファイバケーブル１９０Ｂの他端面側は、ＬＥＤアレイ１３０Ｂの透明基板１３１Ｂに接続されている。光ファイバケーブル１９０Ｂの各他端面（図示略）は、透明基板１３１Ｂの各隙間に位置している。これらの他端面からは、液晶ライトバルブ１２０Ｂへ向けて、Ｂ2’光が出射される。
【００４２】
光量検出センサＳ１は、ＬＥＤアレイ１３０Ｇの近傍に配設されており、Ｇ1光とＧ2’光との合成光のうち、漏洩した光の光量を検出するセンサである。駆動部１８０は、ＬＥＤアレイ１３０Ｒ（ＬＥＤ１３２Ｒ1〜１３２Ｒ4、・・・）、ＬＥＤアレイ１３０Ｇ（ＬＥＤ１３２Ｇ1〜１３２Ｇ4、・・・）およびＬＥＤアレイ１３０Ｂ（ＬＥＤ１３２Ｒ1〜１３２Ｂ4、・・・）をそれぞれ駆動する。制御部１８１は、光量検出センサＳ１からの検出信号のフィードバックを受けながら、駆動部１８０に対して、投射レンズ１４０からスクリーンに投射される光の光量を一定にするための制御を行う。
【００４３】
上記構成において、例えば、暗室で映画を鑑賞する場合、すなわち、プロジェクタ３００の投射出力が小さくてもよい場合、プロジェクタ３００の光コネクタ１９０には、光ファイバケーブル２００が接続されない。投射出力が小さくてもよい場合には、ＬＥＤアレイ１３０Ｒ、ＬＥＤアレイ１３０ＧおよびＬＥＤアレイ１３０Ｂが、制御部１８１の下で、駆動部１８０により駆動される。
【００４４】
これにより、ＬＥＤアレイ１３０ＲのＬＥＤ１３２Ｒ1〜１３２Ｒ4、・・・で発光されたＲ1光が液晶ライトバルブ１２０Ｒに照射され、液晶ライトバルブ１２０Ｒでは、Ｒ1光が画像信号に応じて変調される。また、ＬＥＤアレイ１３０ＧのＬＥＤ１３２Ｇ1〜１３２Ｇ4、・・・で発光されたＧ1光が液晶ライトバルブ１２０Ｇに照射され、液晶ライトバルブ１２０Ｇでは、Ｇ1光が画像信号に応じて変調される。また、ＬＥＤアレイ１３０ＢのＬＥＤ１３２Ｂ1〜１３２Ｂ4、・・・で発光されたＢ1光が液晶ライトバルブ１２０Ｂに照射され、液晶ライトバルブ１２０Ｂでは、Ｂ1光が画像信号に応じて変調される。
【００４５】
そして、クロスダイクロイックプリズム１１０でＲ1光、Ｇ1光およびＢ1光が合成され、合成された光は、投射レンズ１４０によりスクリーン（図示略）に投射される。
【００４６】
一方、明るい室内で映画を鑑賞する場合、すなわち、プロジェクタ３００の投射出力が大きいものが必要である場合、光コネクタ１９０には、光ファイバケーブル２００が接続される。これにより、第１光源および第２光源の双方からの光がクロスダイクロイックプリズム１１０で合成され、第１光源のみの場合に比して、照射出力が大きくなる。
【００４７】
すなわち、光コネクタ１９０に入力された外光は、光ファイバケーブル１９０Ｒ、光ファイバケーブル１９０Ｇおよび光ファイバケーブル１９０Ｂを伝搬し、光学フィルタ１９１ＲによりＲ2’光に、光学フィルタ１９１ＧによりＧ2’光に、光学フィルタ１９１ＢによりＢ2’光にそれぞれ変換される。
【００４８】
Ｒ2’光は、光ファイバケーブル１９０Ｒの各他端面１９０Ｒａ（図４参照）から出射し、Ｒ1光と合成され、液晶ライトバルブ１２０Ｒに入射される。液晶ライトバルブ１２０Ｒでは、Ｒ1光とＲ2’光とが合成された光（Ｒ1＋Ｒ2’）が画像信号に応じて変調される。
【００４９】
また、Ｇ2’光は、光ファイバケーブル１９０Ｇの各他端面（図示略）から出射し、Ｇ1光と合成され、液晶ライトバルブ１２０Ｇに入射される。液晶ライトバルブ１２０Ｇでは、Ｇ1光とＧ2’光とが合成された光（Ｇ1＋Ｇ2’）が画像信号に応じて変調される。
【００５０】
また、Ｂ2’光は、光ファイバケーブル１９０Ｂの各他端面（図示略）から出射し、Ｂ1光と合成され、液晶ライトバルブ１２０Ｂに入射される。液晶ライトバルブ１２０Ｂでは、Ｂ1光とＢ2’光とが合成された光（Ｂ1＋Ｂ2’）が画像信号に応じて変調される。
【００５１】
そして、クロスダイクロイックプリズム１１０で光（Ｒ1＋Ｒ2’）、光（Ｇ1＋Ｇ2’）および光（Ｂ1＋Ｂ2’）が合成され、合成された光は、投射レンズ１４０によりスクリーン（図示略）に投射される。
【００５２】
ここで、第２光源が太陽である場合、気象条件により外光の光量が変動し、ひいては、プロジェクタ３００の投射出力が変動する。そこで、実施例２では、光量検出センサＳ１からのフィードバックを受けながら、投射出力が一定となるように、制御部１８１による制御を行っている。
【００５３】
すなわち、（Ｇ1＋Ｇ2’）光のうち漏えいした光の光量が光量検出センサＳ１により検出され、制御部１８１にフィードバックされる。これにより、制御部１８１は、フィードバックされた光量が一定となるように、駆動部１８０へ指令を出す。例えば、光量が減少した場合には、ＬＥＤ１３２Ｇ1〜１３２Ｇ4、・・・からのＧ1光の光量を増加させるように、駆動部１８０へ指令を出す。一方、光量が増加した場合には、ＬＥＤ１３２Ｇ1〜１３２Ｇ4、・・・からのＧ1光の光量を減少させるように、駆動部１８０へ指令を出す。これにより、駆動部１８０は、制御部１８１の指令に基づいて、ＬＥＤ１３２Ｇ1〜１３２Ｇ4、・・・を駆動する。
【００５４】
なお、実施例２においては、光コネクタ１９０に入力される外光の光量を検出する光量検出センサを設け、この光量検出センサから光量のフィードバックを受けて、投射出力が一定となるように、制御部１８１がＬＥＤ１３２Ｒ1〜１３２Ｒ4、・・・、ＬＥＤ１３２Ｇ1〜１３２Ｇ4、・・・、ＬＥＤ１３２Ｂ1〜１３２Ｂ4、・・・の光量を制御してもよい。
【００５５】
また、実施例２においては、光ファイバケーブル１９０Ｒ、光ファイバケーブル１９０Ｇおよび光ファイバケーブル１９０Ｂのそれぞれを伝搬する光の光量をそれぞれ検出する光量検出センサを複数設け、これらの光量検出センサから光量のフィードバックを受けて、投射出力が一定となるように、制御部１８１が、ＬＥＤ１３２Ｒ1〜１３２Ｒ4、・・・、ＬＥＤ１３２Ｇ1〜１３２Ｇ4、・・・、ＬＥＤ１３２Ｂ1〜１３２Ｂ4、・・・の光量を個別に制御してもよい。
【００５６】
また、実施例１および２においては、第２光源として、赤色、緑色、青色の３色について第２光源を用いる構成例について説明したが、投射出力への影響が最も大きい緑色のみの第２光源を用いる構成例としてもよい。
【００５７】
また、実施例１および２においては、光源ユニット１７０や光コネクタ１９０を１つ設けて、白色光に基づいて、プロジェクタ１００、３００内で色分離を行う構成例について説明したが、赤色、緑色、青色にそれぞれ対応させて３つの光源ユニットや光コネクタを設けて、各色の光を入力する構成例としてもよい。
【００５８】
また、実施例１および２においては、第２光源を赤色、緑色、青色という３色のそれぞれについて３枚の液晶ライトバルブを備えた３板式のプロジェクタに適用した例について説明したが、カラーホイール等を用いて、時分割で赤色、緑色、青色を生成し、これらを１枚の液晶ライトバルブへ照射する単板式のプロジェクタにも適用してもよい。
【００５９】
以上説明したように、実施例２によれば、図１に示した全反射ミラー１６０、ダイクロイックミラー１６１等を用いた場合に比して、スペースが少なくて済むため、さらに、プロジェクタ３００を小型軽量化することができるとともに、外光を用いているためさらに消費電力を低減することができる。また、実施例２によれば、制御部１８１により照射出力が一定となるように光量の制御を行っているため、外光の変動に左右されることなく、安定した照射出力を得ることができる。
【００６０】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【産業上の利用可能性】
【００６１】
以上のように、本発明にかかるプロジェクタは、小型軽量化と大出力から小出力までの汎用性の高さとの両立に対して有用である。
【図面の簡単な説明】
【００６２】
【図１】本発明にかかる実施例１の構成を示す図である。
【図２】図１に示したＬＥＤアレイ１３０Ｒの構成を示す図である。
【図３】本発明にかかる実施例２の構成を示す図である。
【図４】図３に示したＬＥＤアレイ１３０Ｒの構成を示す図である。
【符号の説明】
【００６３】
１００  プロジェクタ、１００ａ  着脱部、１１０  クロスダイクロイックプリズム、１２０Ｒ  液晶ライトバルブ、１３０Ｒ  ＬＥＤアレイ、１３１Ｒ  透明基板、１３２Ｒ1  ＬＥＤ、１３２Ｒ4  ＬＥＤ、１２０Ｇ  液晶ライトバルブ、１３０Ｇ  ＬＥＤアレイ、１３１Ｇ  透明基板、１３２Ｇ1  ＬＥＤ、１３２Ｇ4  ＬＥＤ、１２０Ｂ  液晶ライトバルブ、１３０Ｂ  ＬＥＤアレイ、１３１Ｂ  透明基板、１３２Ｂ1  ＬＥＤ、１３２Ｂ4  ＬＥＤ、１４０  投射レンズ、１６０  全反射ミラー、１６１  ダイクロイックミラー、１７０  光源ユニット、１７１  ＬＥＤ、３００  プロジェクタ、１８０  駆動部、１８１  制御部、Ｓ１  光量検出センサ、１９０Ｒ  光ファイバケーブル、１９０Ｇ  光ファイバケーブル、１９０Ｂ  光ファイバケーブル、１９０  光コネクタ、１９１Ｒ  光学フィルタ、１９１Ｇ  光学フィルタ、１９１Ｂ  光学フィルタ
【図１】
2006003799.tif 000003
【図２】
2006003799.tif 000004
【図３】
2006003799.tif 000005
【図４】
2006003799.tif 000006